(57)【要約】【課題】回路基板と割り基板のセットを、どちらの基板もダメージを受けないよう、安全に輸送できる梱包装置を提供する。【解決手段】梱包箱５の内部を間仕切り６、７により複数の区画８に区分し、区画８の各々につき回路基板１を２枚ずつ割り当てる。回路基板１は一部が割り基板２となっており、この割基板２を、平行に配置した２枚の回路基板１と直角に配置し、回路基板のそれぞれに係合させることにより、区画８に収納されたときの回路基板同士の間隔を確保する。回路基板１には、１箇所のコーナー部を形成する２辺に１個ずつ、切り込み１１ａ、１１ｂを形成し、割り基板２に形成した切り込み１２を切り込み１１ａ、１１ｂのどちらかに組み合わせる。【選択図】図１
2009038166.tif 000002
【特許請求の範囲】
【請求項１】
梱包箱の内部を間仕切りにより複数の区画に区分し、前記区画の各々につき回路基板２枚ずつを割り当てるとともに、前記回路基板はそれぞれ一部が割り基板となっており、この割基板を、平行に配置した２枚の回路基板と直角に配置し、回路基板のそれぞれに係合させることにより、前記区画に収納されたときの回路基板同士の間隔を確保することを特徴とする回路基板の梱包装置。
【請求項２】
前記回路基板に形成された切り込みと、前記割基板に形成された切り込みを組み合わせることにより、回路基板と割り基板の連結がなされることを特徴とする請求項１に記載の回路基板の梱包装置。
【請求項３】
前記回路基板の切り込みは、１箇所のコーナー部を形成する２辺に１個ずつ形成されていることを特徴とする請求項２に記載の回路基板の梱包装置。
【発明の詳細な説明】
【技術分野】
【０００１】
本発明は回路基板の梱包装置に関する。
【背景技術】
【０００２】
電子回路を備えた機器では、回路基板は欠くことのできない存在である。回路基板においては、主基板の一部を区画して割り基板とし、割り基板に補助的な回路を形成することがしばしば行われる。割り基板を備えた回路基板の例を特許文献１、２に見ることができる。
【０００３】
また機器の製造工程において、多数の回路基板を運搬する場合、基板上の部品が破損しないように基板間の間隔を一定に保つ方策がとられる。特許文献３には、回路基板の少なくとも一方の面に、回路基板から最も突出する部品より高い長さでピンあるいはラッピング端子を植設して、回路基板を一定の間隔で積み上げられるようにした構成が記載されている。
【特許文献１】実開昭５８−１１２７０号公報
【特許文献２】実開平２−３１７９１号公報
【特許文献３】実開昭５９−２６３００号公報
【発明の開示】
【発明が解決しようとする課題】
【０００４】
特許文献３に記載されたのは割り基板を持たない通常の回路基板同士を分離する構造であるが、割り基板を有する回路基板同士を分離しなければならない場合もある。割り基板を有する回路基板を遠隔地の機器製造拠点に運搬する場合、従来は次のようにして基板の保護を図っていた。
【０００５】
図５は割り基板を有する回路基板の正面図、図６は回路基板を割り基板共々袋詰めした状態を示す正面図、図７は袋詰め状態の回路基板と割り基板を収納した梱包箱の平面図である。
【０００６】
回路基板１は矩形で、その一部から矩形の割り基板２が取り出される。回路基板１と割り基板２はジャンパー線３で接続されている。遠隔地へ運搬するときは、回路基板１と割り基板２をポリエチレン等合成樹脂製の袋４に入れて封をする。
【０００７】
回路基板１と割り基板２のセットを収納した袋４を梱包箱５に収納する。梱包箱５は丈夫な段ボール紙製である。物流経費を節減するため、同じく段ボール紙製の間仕切りで梱包箱５内に複数の区画を形成し、多数の袋４を収納する。図７の構成では、縦方向の３個の間仕切り６と横方向の１個の間仕切り７により梱包箱５の内部に合計８個の収納区画８を形成し、各収納区画８に袋４を２個ずつ収納している。
【０００８】
上記構成によると、回路基板１が袋４で個別包装されているので、隣りの回路基板１とこすれ合って部品が損傷するということが少ない。しかしながら、袋４の中で回路基板１と割り基板２がこすれ合うのを避けることはできない。輸送中に振動や衝撃を受けると、回路基板１上の部品もしくは割り基板２上の部品または双方の部品が損傷し、機能に支障をきたす場合がある。また袋４が厚手で丈夫なものでないと、輸送中に袋４が破れ、隣の回路基板１あるいは割り基板２との接触が生じる可能性もある。
【０００９】
本発明は上記の点に鑑みなされたものであり、回路基板と割り基板のセットを、どちらの基板もダメージを受けないよう、安全に輸送できる梱包装置を提供することを目的とする。
【課題を解決するための手段】
【００１０】
上記目的を達成するために本発明は、梱包箱の内部を間仕切りにより複数の区画に区分し、前記区画の各々につき回路基板２枚ずつを割り当てるとともに、前記回路基板はそれぞれ一部が割り基板となっており、この割基板を、平行に配置した２枚の回路基板と直角に配置し、回路基板のそれぞれに係合させることにより、前記区画に収納されたときの回路基板同士の間隔を確保することを特徴としている。
【００１１】
この構成によると、２枚の回路基板が割り基板によって隔てられ、回路基板同士の接触が確実に防止される。割り基板を回路基板と直角に配置して回路基板に係合させるので、割り基板上の部品と回路基板上の部品が接触する可能性も小さい。そのため基板に損傷を与えることなく輸送することができる。
【００１２】
また本発明は、上記構成の回路基板の梱包装置において、前記回路基板に形成された切り込みと、前記割り基板に形成された切り込みを組み合わせることにより、回路基板と割り基板の連結がなされることを特徴としている。
【００１３】
この構成によると、回路基板と割り基板の係合を確実に維持し、振動や衝撃に耐えさせることができる。
【００１４】
また本発明は、上記構成の回路基板の梱包装置において、前記回路基板の切り込みは、１箇所のコーナー部を形成する２辺に１個ずつ形成されていることを特徴としている。
【００１５】
この構成によると、２枚の回路基板と２枚の割り基板が回路基板の１箇所のコーナー部で組み合わさり、ぐらつきのない堅牢な結合が形成される。
【発明の効果】
【００１６】
本発明によると、それぞれ割り基板を有する２枚の回路基板を互いに接触しないように梱包箱内の所定の区画に収納することができる。また回路基板と割り基板も互いの部品に損傷を与えない配置関係に維持することができる。そして従来のように袋で回路基板を包む構成だと梱包資材の総量が増えるだけでなく開封後の袋がごみとなってしまうが、本発明の構成では袋を用いる必要がないので資材コストを削減できるうえ、廃棄物の量も減らすことができる。
【発明を実施するための最良の形態】
【００１７】
以下、図１−４に基づき本発明の実施形態を説明する。図１は回路基板及び割り基板と梱包箱の斜視図、図２は割り基板を有する回路基板の正面図、図３は割り基板を直角に組み合わせた回路基板の正面図、図４は回路基板と割り基板を収納した梱包箱の平面図である。なお従来構造と共通する構成要素には図５以下で用いたのと同じ符号を使用し、説明は省略する。
【００１８】
本発明では、回路基板１に２個の切り込み１１ａ、１１ｂを形成し、割り基板２にも２個の切り込み１２を形成する。切り込み１１ａは、回路基板１の１箇所のコーナー部を形成する長辺に形成される。切り込み１１ｂは前記コーナー部を形成する短辺に形成される。切り込み１１ａは回路基板１の長辺と直角をなし、切り込み１１ｂは回路基板１の短辺と直角をなす。割り基板２の切り込み１２は、一方の長辺に、端から所定間隔を置き、且つ長辺と直角に計２個形成する。切り込み１２の深さは割り基板２の半ばにまで達する。切り込み１１ａ、１１ｂの深さも切り込み１２と同程度となっている。
【００１９】
２枚の回路基板１を横並びで平行に配置する。それらと直角に２枚の割り基板２を配置し、割り基板２のそれぞれを回路基板１のそれぞれに係合させることにより、梱包箱５に収納されたときの回路基板１同士の間隔を確保する。
【００２０】
係合は次のようにして行う。すなわち一方の回路基板１に属する割り基板２を、２箇所の切り込み１２を２枚の回路基板１の切り込み１１ａに組み合わせる形で差し込む。また他方の回路基板１に属する割り基板２を、２箇所の切り込み１２を２枚の回路基板１の切り込み１１ｂに組み合わせる形で差し込む。すると図１に示すように２枚の回路基板１と２枚の割り基板２が組み合わさった状態になる。この状態では２枚の回路基板１が２枚の割り基板２によって隔てられ、回路基板１同士の接触が確実に防止される。割り基板２を回路基板１と直角に配置して回路基板１に係合させるので、割り基板２上の部品と回路基板１上の部品が接触する可能性も小さい。
【００２１】
切り込み同士を組み合わせているので回路基板１と割り基板２の係合は確実なものとなり、振動や衝撃に耐えさせることができる。また２枚の回路基板と２枚の割り基板２が回路基板１の１箇所のコーナー部で組み合わさっているので、ぐらつきのない堅牢な結合が形成される。
【００２２】
上記のように２枚の回路基板１と２枚の割り基板２を組み合わせたものを梱包箱５の一つの区画８に入れる。袋４は必要ない。全ての区画８に基板を入れた後、図示しないフラップまたは別体の蓋で梱包箱５の上面を閉ざす。梱包箱５の高さを高くして、内部を多段積み構成とすることも可能である。
【００２３】
以上本発明の実施形態につき説明したが、発明の主旨を逸脱しない範囲でさらに種々の変更を加えて実施することができる。
【産業上の利用可能性】
【００２４】
本発明は回路基板の梱包に利用可能である。
【図面の簡単な説明】
【００２５】
【図１】回路基板及び割り基板と梱包箱の斜視図
【図２】割り基板を有する回路基板の正面図
【図３】割り基板を直角に組み合わせた回路基板の正面図
【図４】回路基板と割り基板を収納した梱包箱の平面図
【図５】従来の割り基板を有する回路基板の正面図
【図６】図５の回路基板を割り基板共々袋詰めした状態を示す正面図
【図７】袋詰め状態の回路基板と割り基板を収納した梱包箱の平面図
【符号の説明】
【００２６】
１    回路基板
２    割り基板
３    ジャンパー線
４    袋
５    梱包箱
６、７  間仕切り
８    区画
１１ａ、１１ｂ、１２  切り込み
【図１】
2009038166.tif 000003
【図２】
2009038166.tif 000004
【図３】
2009038166.tif 000005
【図４】
2009038166.tif 000006
【図５】
2009038166.tif 000007
【図６】
2009038166.tif 000008
【図７】
2009038166.tif 000009